(57)【要約】【課題】  走行時の空気抵抗を低減でき、しかもシューズの紐やベルトの緊締時の操作性を向上できるスポーツシューズのカバー構造を提供する。【解決手段】  シューズ１のつま先部から足甲部を経て履き口１５の開口前側縁部３４まで覆うカバー本体１１と、これに一体形成され、履き口１５の開口両側縁部３５に沿ってシューズ１の踵後端まで延びる左右一対の帯状部１２とを設ける。カバー本体１１は、アウトソール２の前足部周縁部に固着されており、カバー本体１１の他の部分は、アウトソール２から分離して設けられている。各帯状部１２の先端には、対応する各帯状部１２に対して係脱自在な第１、第２のベルト片１３，１４が設けられている。シューズ１の踵後端には、上方に延びる帯状片３２が設けられており、帯状片３２は、甲被部３の踵後端側にループ状に折り返した状態で、その先端部が踵後端に対して係脱自在になっている。【選択図】  図８
2005312715.tif 000002
【特許請求の範囲】
【請求項１】
スポーツシューズのカバー構造であって、
シューズのつま先部から足甲部を経て履き口の開口前側縁部まで覆うカバー本体と、
前記カバー本体に一体形成されるとともに、履き口の開口両側縁部に沿ってシューズの踵後端まで延びる左右一対の帯状部とを備え、
前記カバー本体がシューズのソールの前足部周縁部に固着されるとともに、前記カバー本体の他の部分がシューズのソールから分離して設けられており、前記各帯状部の先端部が係脱自在に係合し得る係合部材が設けられている、
ことを特徴とするスポーツシューズのカバー構造。
【請求項２】
請求項１において、
前記カバー本体が、着用者の足の拇趾球部から爪先部をへて子趾球部に到る領域において、シューズのソールの前足部周縁部に吊り込まれて固着されている、
ことを特徴とするスポーツシューズのカバー構造。
【請求項３】
請求項１において、
前記カバー本体が、足の立体形状に合わせて立体縫製されている、
ことを特徴とするスポーツシューズのカバー構造。
【請求項４】
請求項１において、
前記カバー本体が、シューズの履き口の開口前側縁部を越えて上方に延びている、
ことを特徴とするスポーツシューズのカバー構造。
【請求項５】
請求項１において、
前記カバー本体および帯状部が、伸縮性を有する素材から構成されている、
ことを特徴とするスポーツシューズのカバー構造。
【請求項６】
請求項５において、
前記カバー本体および帯状部の外周縁部が、環縫いで処理されている、
ことを特徴とするスポーツシューズのカバー構造。
【請求項７】
請求項１において、
前記カバー本体が、シューズの爪先部周縁部に沿って設けられた補強材を有している、
ことを特徴とするスポーツシューズのカバー構造。
【請求項８】
請求項１において、
前記係合部材が面ファスナー、ホック、ファスナー、バックルまたはボタンのいずれかにより構成されている、
ことを特徴とするスポーツシューズのカバー構造。
【請求項９】
請求項１において、
前記各帯状部の先端には第１および第２のベルト片がそれぞれ固着され、前記第１のベルト片には前記第２のベルト片が挿入される開孔が形成されるとともに、前記第１のベルト片の前記開孔に前記第２のベルト片が挿入された状態で、前記第１および第２のベルト片が、対応する前記各帯状部に係脱自在に係合し得るようになっている、
ことを特徴とするスポーツシューズのカバー構造。
【請求項１０】
請求項１において、
シューズの踵後端には、履き口の開口後側縁部から上方に延びる帯状片が設けられており、前記帯状片は、甲被部の踵後端側にループ状に折り返した状態で、その先端部が踵後端に係脱自在に係合し得るようになっている、
ことを特徴とするスポーツシューズのカバー構造。
【請求項１１】
請求項１において、
スポーツシューズが陸上競技用シューズである、
ことを特徴とするスポーツシューズのカバー構造。
【発明の詳細な説明】
【技術分野】
【０００１】
本発明は、スポーツシューズに装着されるカバーに関し、詳細には、その構造の改良に関する。
【背景技術】
【０００２】
スポーツシューズ、とくに陸上競技用の短距離シューズにおいては、走行中に足甲に作用する空気抵抗を無視することができない。たとえば、陸上短距離のトップ選手の場合、走行中にシューズの足甲部が接地面となす角度が約４０度のときに、空気抵抗が最大になることが分かっている。そこで、走行時の空気抵抗を低減させるために、特開２００２−３０６２０４号公報に示すように、甲被部の足甲部分にカバーを設けることによって甲被部の足甲部分の凹凸をなくすようにしたものが提案されている。
【０００３】
しかしながら、この場合には、カバーがシューズの履き口の開口前側縁部を覆っておらず、カバーを装着した後でもシューズの履き口の開口前側縁部が外側に露出した状態になっている。また、カバーに開閉用のファスナーが設けられており、カバー表面が完全にスムーズに形成されていないため、空気抵抗の影響を受けやすい。さらに、ファスナー部分は伸縮性がないので、カバー装着時のフィット性が悪い。また、ファスナーの場合、カバー全体を大きく開くことができず、このため、シューズの紐やベルトの緊締時の操作性が悪いという問題もある。
【特許文献１】特開２００２−３０６２０４号公報（図１参照）
【発明の開示】
【発明が解決しようとする課題】
【０００４】
本発明が解決しようとする課題は、走行時の空気抵抗を低減でき、しかもシューズの紐やベルトの緊締時の操作性を向上できるスポーツシューズのカバー構造を提供することにある。
【課題を解決するための手段】
【０００５】
請求項１の発明に係るスポーツシューズのカバー構造は、シューズのつま先部から足甲部を経て履き口の開口前側縁部まで覆うカバー本体と、カバー本体に一体形成されるとともに、履き口の開口両側縁部に沿ってシューズの踵後端まで延びる左右一対の帯状部とを備えている。カバー本体は、シューズのソールの前足部周縁部に固着されており、カバー本体の他の部分は、シューズのソールから分離して設けられている。また、各帯状部の先端部が係脱自在に係合し得る係合部材が設けられている。
【０００６】
請求項１の発明によれば、シューズのつま先部から足甲部を経て履き口の開口前側縁部まで覆うカバー本体が設けられるので、カバー装着後には、走行時にもっとも空気抵抗の影響を受けるシューズの足甲全体がカバーで覆われることになる。これにより、走行時の空気抵抗を低減できる。しかも、この場合には、シューズの踵後端まで延びる左右一対の帯状部がカバー本体に一体形成されているので、シューズの甲被部の実質的にすべての領域をカバーで覆うことができ、これにより、走行時の空気抵抗を一層低減できる。
【０００７】
さらに、この場合には、各帯状部の先端部が係脱自在に係合し得る係合部材が設けられているので、カバーの開閉をシューズの踵後端側において帯状部により行うことができ、これにより、カバーに開閉用のファスナーなどの部材を設ける必要がなくなり、カバー表面を凹凸のない完全にスムーズな面で形成することが可能になる。その結果、走行時の空気抵抗を一層低減できるようになる。また、各帯状部の先端部の係合の際に各帯状部を引っ張りながら係合させることで、カバー本体のしわや弛みを除去して走行時の空気抵抗をより一層低減できるとともに、着用者の足に対するカバーのフィット性を向上できる。
【０００８】
なお、カバーのフィット性を向上できることで、カバー自体をシューズの甲被部として機能させることが可能である。これにより、従来のように足全体を覆う甲被部を設ける必要はなく、甲被部に多数の開口を形成したり、間隔を隔てた複数のベルトのみから甲被部を構成したりすることによって、甲被部を最低限のパーツから構成するようにしてもよく、このようにして、甲被部の重量を低減でき、ひいてはシューズ全体の重量を軽減できる。
【０００９】
また、カバー本体のシューズに対する固着部分が、シューズのソールの前足部周縁部に設けられており、カバー本体の他の部分はシューズのソールから分離しているので、各帯状部の係合を外してカバー本体をシューズ前方側に開いたときに、シューズの緊締用の紐やベルトを露出させることができ、これにより、紐やベルトの緊締時の操作性を向上できる。
【００１０】
請求項２の発明においては、カバー本体が、着用者の足の拇趾球部から爪先部をへて子趾球部に到る領域において、シューズのソールの前足部周縁部に吊り込まれて固着されている。
【００１１】
請求項３の発明においては、カバー本体が、足の立体形状に合わせて立体縫製されている。この場合には、足に対するフィット性を一層向上でき、足との一体感を実現できる。
【００１２】
請求項４の発明においては、カバー本体が、シューズの履き口の開口前側縁部を越えて上方に延びている。この場合には、足首とシューズの履き口の開口前側縁部との隙間をなくすことができるので、走行時の空気抵抗をさらに低減できるようになる。
【００１３】
請求項５の発明においては、カバー本体および帯状部が、伸縮性を有する素材から構成されている。この場合には、走行時の足の動きを阻害することなく、足に対するフィット性をより一層向上できる。なお、ここでいう伸縮性とは、少なくともシューズの前後方向の伸縮性を意味しており、好ましくは、シューズの前後方向および幅方向の２方向の伸縮性を意味している。
【００１４】
請求項６の発明においては、カバー本体および帯状部の外周縁部が、環縫いで処理されている。この「環縫い」により、縫製によってカバー本体および帯状部の外周縁部の伸縮性が阻害されておらず、カバー本体および帯状部の伸縮性が維持されている。なお、この環縫いには、一本針オーバーロック、二本針オーバーロック、インターロック、平二本片面飾りおよび単環縫いなどがある。
【００１５】
請求項７の発明においては、カバー本体が、シューズの爪先部周縁部に沿って設けられた補強材を有している。この補強材としては、たとえば、ボンディング加工によりウレタン樹脂をカバー本体の表面に装着したり、あるいは人工皮革や皮をカバー本体の表面に接着したりすることなどが挙げられる。
【００１６】
請求項８の発明においては、係合部材が面ファスナー、ホック、ファスナー、バックルまたはボタンのいずれかにより構成されている。
【００１７】
請求項９の発明においては、各帯状部の先端に第１および第２のベルト片がそれぞれ固着されており、第１のベルト片には、第２のベルト片が挿入される開孔が形成されている。そして、第１のベルト片の開孔に第２のベルト片が挿入された状態で、第１および第２のベルト片が、対応する各帯状部に係脱自在に係合し得るようになっている。
【００１８】
この場合には、シューズの踵後端側において、第１のベルト片の開孔に第２のベルト片を挿入した状態で第１および第２のベルト片を引っ張って各帯状部に係合させることで、各帯状部材の緊締を容易に行えるようになる。
【００１９】
請求項１０の発明においては、シューズの履き口の開口後側縁部から上方に延びる帯状片がシューズの踵後端に設けられており、帯状片を甲被部の踵後端側にループ状に折り返した状態で、帯状片の先端部が踵後端に係脱自在に係合し得るようになっている。この場合には、ループ状に形成された帯状片により、各帯状部をシューズの甲被部と帯状片との間で安定して挟持されることになる。これにより、カバーのずれを防止できる。
【００２０】
本発明が適用されるスポーツシューズとしては、請求項１１の発明に記載されているように、陸上競技用シューズが好適である。
【発明の効果】
【００２１】
本発明に係るスポーツシューズのカバー構造によれば、シューズのつま先部から足甲部を経て履き口の開口前側縁部まで覆うカバー本体が設けられるばかりでなく、シューズの踵後端まで延びる左右一対の帯状部がカバー本体に一体形成されているので、シューズの甲被部の実質的にすべての領域をカバーで覆うことができ、これにより、走行時の空気抵抗を低減できる。しかも、この場合には、カバー本体のシューズに対する固着部分が、シューズのソールの前足部周縁部に設けられており、カバー本体の他の部分はシューズのソールから分離しているので、カバー本体をシューズ前方側に開いたときに、シューズの緊締用の紐やベルトを露出させることができ、これにより、紐やベルトの緊締時の操作性を向上できる。
【発明を実施するための最良の形態】
【００２２】
以下、本発明の実施例を添付図面に基づいて説明する。
図１ないし図８は、本発明の一実施例によるシューズのカバー構造を説明するための図であって、図１はカバーが装着された状態のシューズの内甲側側面図、図２はその外甲側側面図、図３は図２の踵後端部分拡大図、図４はシューズの後面図、図５はカバーが固着されるシューズの外甲側側面図、図６は踵後端の帯状片の係合を外した状態を示す外甲側側面部分図、図７はその後面図、図８はカバーを全開した状態を示す平面図である。ここでは、陸上競技用シューズを例にとって説明する。
【００２３】
本発明によるカバーが取り付けられるシューズ１は、図５に示すように、底面に複数のスタッド２０が取り付けられるとともにシューズの全長にわたって配設されたアウトソール２と、アウトソール２にその下部が固着されるとともに、複数の開孔３０が形成された甲被部３と、甲被部３上に配設された複数のベルト４，５，６とを備えている。
【００２４】
アウトソール２は、シューズ中足部位において上方に立ち上がる巻上げ部２１を有している。ベルト４，５は、ソール内甲側および外甲側から上方に延びる左右一対のベルトから構成されている。左右に対応する各ベルト４は、靴紐７によって相互に連結されている（図８参照）。ベルト５は、踵後端側を巻回している。ベルト６は、たとえばバックル付の緊締ベルトである。甲被部３の踵後端には、履き口１５の開口後側縁部から上方に延びる帯状片３２が取り付けられている。帯状片３２の裏面には、面ファスナー３２ａが装着されている。一方、甲被部３の踵後端には、面ファスナー３２ａが係脱自在に係合し得る面ファスナー３２ｂが固着されている。
【００２５】
図１および図２に示すように、本発明によるカバー１０は、シューズのつま先部から足甲部を経て履き口１５の開口前側縁部３４（図５および図８参照）まで覆うカバー本体１１と、カバー本体１１に一体形成されるとともに、履き口１５の開口両側縁部３５（図５および図８参照）に沿ってシューズの踵後端まで延びる左右一対の帯状部１２とを備えている。
【００２６】
カバー本体１１は、シューズのアウトソール２の前足部周縁部に固着されており、カバー本体１１の他の部分は、アウトソール２から分離して設けられている。好ましくは、カバー本体１１は、着用者の足の拇趾球部（図１中Ａ点に対応する位置）から爪先部をへて子趾球部（図２中Ｂ点に対応する位置）に到る領域において、シューズのアウトソール２の前足部周縁部に吊り込まれて固着されている。カバー本体１１は、シューズの履き口１５の開口前側縁部３４を越えて上方に延びている。言い換えれば、カバー本体１１の上側縁部１１ａは、履き口１５の開口前側縁部３４の上方に配置されている。
【００２７】
カバー本体１１は、足の立体形状に合わせて立体縫製されている。図１および図２に示す例では、カバー本体１１を、外甲側に配置され足甲上部まで延びる外甲側部材と、内甲側に配置され足甲上部まで延びる内甲側部材とから構成し、これら外甲側部材および内甲側部材を足甲上部で縫製している。この場合には、足の立体形状に容易に沿わせることができ、しかも、縫い目個所が少なくて済む。また、カバー本体１１および帯状部１２は、伸縮性を有する素材から構成されているのが好ましい。なお、ここでいう伸縮性とは、少なくともシューズの前後方向の伸縮性を意味しており、好ましくは、シューズの前後方向および幅方向の２方向の伸縮性を意味している。
【００２８】
カバー本体１１および帯状部１２の外周縁部（ならびにカバー本体１１の足甲上部の縫製部分）は、オーバーロックミシンにより「環縫い」されているのが好ましい。この「環縫い」によって、縫製によりカバー本体１１および帯状部１２の外周縁部の伸縮性が阻害されておらず、カバー本体１１および帯状部１２の伸縮性が維持されている。
【００２９】
カバー本体１１は、シューズ１の爪先部周縁部に沿って設けられた補強材１８を有している。この補強材１８の例としては、たとえば、ボンディング加工によりウレタン樹脂をカバー本体表面にコーティングしたり、あるいは人工皮革や皮をカバー本体表面に接着したりすることなどが挙げられる。
【００３０】
各帯状部１２の先端には、図８に明確に示されているように、第１および第２のベルト片１３，１４がそれぞれ固着されており、第１のベルト片１３には、第２のベルト片１４が挿入される開孔１３ａが形成されている。第１のベルト片１３の裏面には、面ファスナー１３ｂが固着されており、同様に、第２のベルト片１４の裏面には、面ファスナー１４ｂが固着されている。一方、各帯状部１２の表面には、第１、第２のベルト片１３，１４の各面ファスナー１３ｂ，１４ｂが係脱自在に係合し得る面ファスナー１２ａ（図６参照）が固着されている。
【００３１】
次に、本実施例の作用効果について説明する。
上述したように、本実施例によれば、シューズ１のつま先部から足甲部を経て履き口１５の開口前側縁部３４まで覆うカバー本体１１が設けられるので、カバー装着後には、走行時にもっとも空気抵抗の影響を受けるシューズ１の足甲全体がカバー１０で覆われることになる。これにより、走行時の空気抵抗を低減できる。しかも、この場合には、シューズ１の踵後端まで延びる左右一対の帯状部１２がカバー本体１１に一体形成されているので、シューズ１の甲被部の実質的にすべての領域をカバー１０で覆うことができ、これにより、走行時の空気抵抗を一層低減できる。
【００３２】
さらに、この場合には、カバー本体１１が、シューズ１の履き口１５の開口前側縁部３４を越えて上方に延びているので、足首とシューズ１の履き口１５の開口前側縁部３４との隙間をなくすことができ、これにより、走行時の空気抵抗をさらに低減できる。
【００３３】
また、カバー本体１１が足の立体形状に合わせて立体縫製されているので、足に対するフィット性を一層向上でき、足との一体感を実現できる。さらに、カバー本体１１および帯状部１２が、伸縮性を有する素材から構成されているので、走行時の足の動きを阻害することなく、足に対するフィット性をより一層向上できる。このとき、カバー本体１１および帯状部１２の外周縁部がオーバーロックミシンにより環縫いされていることにより、縫製によってカバー本体１１および帯状部１２の外周縁部の伸縮性が阻害されることはなく、カバー本体１１および帯状部１２の伸縮性が維持されている。
【００３４】
さらに、本実施例によれば、各帯状部１２の先端に固着された第１、第２のベルト片１３，１４が各帯状部１２に係脱自在に設けられているので、カバー１０の開閉をシューズ１の踵後端側において第１、第２のベルト片１３，１４を介して帯状部１２により行うことができ、これにより、カバー１０に開閉用のファスナーなどの部材を設ける必要がなくなり、カバー表面を凹凸のない完全にスムーズな面で形成することが可能になる。その結果、走行時の空気抵抗を一層低減できるようになる。
【００３５】
また、各帯状部１２の各ベルト片１３，１４の係合の際に各ベルト片１３，１４を引っ張りながら係合させることで、カバー本体１１のしわや弛みを除去して走行時の空気抵抗をより一層低減できるとともに、着用者の足に対するカバーのフィット性を向上できる。
【００３６】
なお、カバー１０のフィット性を向上できることで、カバー１０自体をシューズ１の甲被部として機能させることが可能である。これにより、従来のように足全体を覆う甲被部を設ける必要はなく、本実施例に示したように甲被部３に多数の開孔３０を形成したり、間隔を隔てた複数のベルトのみから甲被部を構成したりすることにより、甲被部を最低限のパーツから構成することができ、このようにして甲被部の重量を低減でき、ひいてはシューズ全体の重量を軽減できる。
【００３７】
また、カバー本体１１のシューズ１に対する固着部分が、シューズ１のアウトソール２の前足部周縁部に設けられており、カバー本体１１の他の部分はシューズ１のアウトソール２から分離しているので、第１、第２のベルト片１３，１４の係合を外してカバー本体１１をシューズ前方側に開いたときに（図８参照）、シューズ１の緊締用の紐７やベルト６を露出させることができ、これにより、紐７やベルト６の緊締時の操作性を向上できる。
【００３８】
次に、図８に示すようにカバー１０を全開にした状態から、カバー１０を閉じる、つまりシューズ１にカバー１０を装着する際には、図６および図７に示すように踵後端側の帯状片３２の係合を外した状態で、各帯状部１２をシューズ１の踵後端側に巻回させるとともに、踵後端側において、第１のベルト片１３の開孔１３ａに第２のベルト片１４を挿入し、その後、各ベルト片１３，１４の裏面の各面ファスナー１３ｂ，１４ｂを各帯状部１２の面ファスナー１２ａに係合させる。
【００３９】
次に、帯状片３２を踵後端側に折り返して、帯状片３２を甲被部３の踵後端側の面ファスナー３２ｂに係合させる（図３および図４参照）。これにより、第１および第２のベルト１３，１４が甲被部３と帯状片３２との間で安定して挟持されることになる。その結果、カバー１０の装着中に、カバー１０のずれを防止できる。
【００４０】
なお、前記実施例では、カバー本体１１の各帯状部１２先端に固着された第１、第２のベルト片１３，１４を各帯状部１２に係脱自在に係合させるのに、面ファスナー１３ｂ，１４ｂを用いた例を示したが、このような係合部材としては、面ファスナーの他に、ホックやファスナー、バックルまたはボタンなどを用いるようにしてもよい。同様に、シューズ１の履き口１５の開口後側縁部から上方に延びる帯状片３２を甲被部３の踵後端に係脱自在に係合させる係合部材としては、面ファスナー以外のものを用いるようにしてもよい。
【００４１】
本発明によるカバー構造が適用されるシューズとしては、上述したような陸上競技用シューズが好適であるが、本発明は、バスケットボールやバレーボールなどの競技のシューズにも適用可能である。
【図面の簡単な説明】
【００４２】
【図１】カバーが装着された状態のシューズの内甲側側面図である。
【図２】カバーが装着された状態のシューズの外甲側側面図である。
【図３】図２の踵後端部分拡大図である。
【図４】シューズ（図１）の後面図であって、踵後端部の拡大図である。
【図５】カバーが固着されるシューズの外甲側側面図である。
【図６】シューズ（図１）の踵後端の帯状片の係合を外した状態を示す外甲側側面部分図である。
【図７】シューズ（図１）の踵後端の帯状片の係合を外した状態を示す後面図である。
【図８】カバーを全開した状態を示す平面図である。
【符号の説明】
【００４３】
１：  陸上競技用シューズ
１５：  履き口
２：  アウトソール
３：  甲被部
３２：  帯状片
３４：  開口前側縁部
３５：  開口両側縁部
１０：  カバー
１１：  カバー本体
１２：  帯状部
１３：  第１のベルト片
１３ａ：  開孔
１４：  第２のベルト片
１８：  補強材
【図１】
2005312715.tif 000003
【図２】
2005312715.tif 000004
【図３】
2005312715.tif 000005
【図４】
2005312715.tif 000006
【図５】
2005312715.tif 000007
【図６】
2005312715.tif 000008
【図７】
2005312715.tif 000009
【図８】
2005312715.tif 000010